(57)【要約】【課題】オペレーションシステムからの制御が容易で、コスト削減が可能な加入者接続装置およびその制御方法を提供すること。【解決手段】受動光網に接続された光網インタフェース３１と、それぞれユーザ網に接続された複数のＵＮＩ３３と、ＰＯＮプロトコル処理を実行する複数のＰＯＮ終端回路３２と、上記各ＰＯＮ終端回路および各ＵＮＩから出力される送信パケットを時分割多重化して上記光網インタフェースに出力し、上記光網インタフェースから入力された受信パケットを上記複数個のＰＯＮ終端回路と上記複数個のＵＮＩに振り分けるための手段（３４、３５、３４１〜３４３）を有する受動光網用の加入者接続装置。【選択図】図１
2004104376.tif 000002
【特許請求の範囲】
【請求項１】
局装置から配送された時分割アクセス権情報に従って局装置へのデータ伝送を制御する受動光網（ＰＯＮ：Ｐａｓｓｉｖｅ　Ｏｐｔｉｃａｌ　Ｎｅｔｗｏｒｋ）用の加入者接続装置であって、
受動光網から受信した光信号を電気信号に変換して出力し、上記局装置に送信すべき電気信号を光信号に変換して受動光網に送出する光網インタフェースと、
それぞれユーザ網に接続されたｎ個（ｎ：２以上の整数）のＵＮＩ（Ｕｓｅｒ　Ｎｅｔｗｏｒｋ　Ｉｎｔｅｒｆａｃｅ）と、
ＰＯＮプロトコル処理を実行するｋ個（ｋ＝２〜ｎ）のＰＯＮ終端回路と、
上記各ＰＯＮ終端回路および各ＵＮＩから出力される送信パケットを時分割多重化して上記光網インタフェースに出力し、上記光網インタフェースから入力された受信パケットを上記複数個のＰＯＮ終端回路と上記複数個のＵＮＩに振り分けるための手段とを有することを特徴とする加入者接続装置。
【請求項２】
局装置から配送された時分割アクセス権情報に従って局装置へのデータ伝送を制御する受動光網（ＰＯＮ：Ｐａｓｓｉｖｅ　Ｏｐｔｉｃａｌ　Ｎｅｔｗｏｒｋ）用の加入者接続装置であって、
受動光網に接続された光／電気変換回路および電気／光変換回路と、
それぞれユーザ網に接続されたｎ個（ｎ：２以上の整数）の入力ＵＮＩ（Ｕｓｅｒ
Ｎｅｔｗｏｒｋ　Ｉｎｔｅｒｆａｃｅ）および出力ＵＮＩと、
ＰＯＮプロトコル処理を実行するｋ個（ｋ＝２〜ｎ）のＰＯＮ終端回路と、
上記各ＰＯＮ終端回路および入力ＵＮＩからの出力セルを上記電気／光変換回路に選択的に出力するための多重化手段と、
上記光／電気変換回路から出力された受信ＰＯＮフレームから制御セルとユーザセルを抽出し、制御セルは上記複数個のＰＯＮ終端回路に供給し、ユーザセルは上記複数の出力ＵＮＩに選択的に振り分けるためのセル分離手段と、
上記各ＰＯＮ終端回路から与えられる制御情報に従って上記多重化手段を制御するＴＤＭＡ管理手段とを有することを特徴とする加入者接続装置。
【請求項３】
前記多重化手段が、セル多重部と、前記複数の入力ＵＮＩから出力されるユーザセルを上記セル多重部に選択的に入力する回線多重部とからなり、
上記セル多重部が、前記ＴＤＭＡ管理手段による制御の下で、前記複数個のＰＯＮ終端回路から出力される制御セルと上記回線多重部から出力されるユーザセルを前記電気／光変換回路に選択的に出力することを特徴とする請求項２に記載の加入者接続装置。
【請求項４】
前記各ＰＯＮ終端回路で処理するプロトコルがＩＴＵ−Ｔ勧告Ｇ．９８３．１に準拠することを特徴とする請求項１〜請求項３の何れかに記載の加入者接続装置。
【請求項５】
局装置から配送された時分割アクセス権情報に従って局装置へのデータ伝送を制御する受動光網（ＰＯＮ：Ｐａｓｓｉｖｅ　Ｏｐｔｉｃａｌ　Ｎｅｔｗｏｒｋ）用の加入者接続装置の制御方法であって、
上記加入者接続装置が、受動光網から受信した光信号を電気信号に変換して出力し、上記局装置に送信すべき電気信号を光信号に変換して受動光網に送出する光網インタフェースと、それぞれユーザ網に接続されたｎ個（ｎ：２以上の整数）のＵＮＩ（Ｕｓｅｒ　Ｎｅｔｗｏｒｋ　Ｉｎｔｅｒｆａｃｅ）と、ＰＯＮプロトコル処理を実行するｋ個（ｋ＝２〜ｎ）のＰＯＮ終端回路と、上記各ＰＯＮ終端回路および各ＵＮＩから出力される送信セルを時分割多重化して上記光網インタフェースに出力し、上記光網インタフェースから出力された受信セルを上記複数個のＰＯＮ終端回路と上記複数個のＵＮＩに振り分けるための多重分離手段とを有し、
局装置が、上記何れかのＰＯＮ終端回路を指定する論理識別情報を含む制御セルを上記受動光網に送信し、
上記多重分離手段が上記制御セルを上記複数個のＰＯＮ終端回路に入力し、
上記制御セルを受信した複数個のＰＯＮ終端回路のうち、上記論理識別情報で指定されたＰＯＮ終端回路が上記制御セルに応答して動作することを特徴とする加入者接続装置の制御方法。
【請求項６】
前記局装置が、前記制御セルによって前記何れかのＰＯＮ終端回路に特定のＵＮＩとの接続を指令し、上記制御セルを受信した複数個のＰＯＮ終端回路のうち、前記論理識別情報で指定されたＰＯＮ終端回路が、上記特定ＵＮＩからの出力セルを送信制御するための制御情報設定処理を実行することを特徴とする請求項５に記載の加入者接続装置の制御方法。
【請求項７】
前記ＰＯＮ終端回路を指定する論理識別情報が、ＩＴＵ−Ｔ勧告Ｇ．９８３．１において規定されたＰＯＮ＿ＩＤであることを特徴とする請求項５または請求項６に記載の加入者接続装置の制御方法。
【発明の詳細な説明】
【０００１】
【発明の属する技術分野】
本発明は、受動光網ＰＯＮ（Ｐａｓｓｉｖｅ　Ｏｐｔｉｃａｌ　Ｎｅｔｗｏｒｋ）用の加入者接続装置およびその制御方法に関するものである。
【０００２】
【従来の技術】
受動光網ＰＯＮは、局装置と複数の加入者接続装置（または端末装置）を光信号の分岐機能をもった光ファイバ網で接続し、各加入者接続装置が、局装置から配送された時分割アクセス権情報に従って局装置へのデータ伝送を制御するネットワークシステムである。各加入者接続装置は、局装置と加入者接続装置との間の距離に応じて出力信号位相を補正する機能を備えている。
【０００３】
受動光網ＰＯＮについては、ＩＴＵ−Ｔの勧告Ｇ．９８３．１　”Ｂｒｏａｄｂａｎｄ　Ｏｐｔｉｃａｌ　Ａｃｃｅｓｓ　Ｓｙｓｔｅｍｓ　ｂａｓｅｄ　ｏｎ　Ｐａｓｓｉｖｅ　Ｏｐｔｉｃａｌ　Ｎｅｔｗｏｒｋｓ　（ＰＯＮ）．”（非特許文献１）で規定されている。勧告Ｇ．９８３．１で規定されたＰＯＮフレームは、ＡＴＭセルをベースとしており、上りＰＯＮフレーム（加入者接続装置から局装置方向）は、５６バイトの固定長データ形式でユーザセルを転送し、下りＰＯＮフレーム（局装置から加入者接続装置方向）は、５３バイトの固定長データ形式でユーザセルと制御セルを転送している。
【０００４】
ＩＴＵ−Ｔ勧告Ｇ．９８３．１に準拠した加入者接続装置の機能ブロック構成については、例えば、勧告Ｇ．９８３．１のＦｉｇ．　３に“Ｅｘａｍｐｌｅ　ｏｆ　ＯＮＴ　Ｆｕｎｃｔｉｏｎａｌ　Ｂｌｏｃｋｓ”として図示されている。上記Ｆｉｇ．　３のＵｓｅｒ　Ｐｏｒｔ　Ｆｕｎｃｔｉｏｎは、ユーザネットワーク・インタフェース（ＵＮＩ：Ｕｓｅｒ　Ｎｅｔｗｏｒｋ　Ｉｎｔｅｒｆａｃｅ）ポートに設けられる。また、ＯＤＮ　ｉｎｔｅｒｆａｃｅ　ｆｕｎｃｔｉｏｎには、光網インタフェースとなる光／電気（Ｏ／Ｅ）変換回路および電気／光（Ｅ／Ｏ）変換回路と、ＰＯＮプロトコルを終端するＰＯＮ終端回路とが含まれる。
【０００５】
ＰＯＮ終端回路に関する従来技術として、例えば、２００１年電子情報通信学会通信ソサイエティ大会の予稿Ｂ−８−２「ＦＳＡＮ　ＢＲＯＡＤＢＡＮＤ−ＰＯＮ　ＯＮＵ　ＬＳＩの開発」（非特許文献２）がある。上記文献は、図２に、ＰＯＮ終端回路を実現するＬＳＩのブロック構成図を示している。明示的ではないが、同図に示された機能ブロックＳ／Ｐ（直／並列変換回路）とＰ／Ｓ（並／直列変換回路）は、Ｏ／Ｅ変換回路、Ｅ／Ｏ変換回路と１対１の関係で接続される。
【０００６】
ＰＯＮ終端回路に関する他の公知例として、１９９６年電子情報通信学会通信ソサイエティ大会の予稿Ｂ−８４１「ＡＴＭ−ＰＤＳ光加入者線伝送路終端ＬＳＩの開発」（非特許文献３）がある。上記文献の図２には、ＰＯＮ終端回路用ＬＳＩを含んだ加入者装置の全体構成が示してあり、ＰＯＮ終端回路用ＬＳＩ（ＰＯＮＵ）が、物理速度を変換するＳ／Ｐ回路とＰ／Ｓ回路を経由して、Ｅ／Ｏ変換回路（文献では１５０Ｍ　ＢＳＴ　ＴＸ：光送信器）とＯ／Ｅ変換回路（６００Ｍ　Ｒｘ（１５０Ｍ　ＲＸ）：光受信器）に１対１の関係で接続されている。尚、上記文献では、ＰＤＳ（Ｐａｓｓｉｖｅ　Ｄｏｕｂｌｅ　Ｓｔａｒ）という用語が用いられているが、ＰＤＳは文献発表当時にＰＯＮと同義語として用いられていたものである。
【０００７】
このように、従来のＰＯＮ用の加入者接続装置では、ＰＯＮ多重化信号を論理的に終端するＰＯＮ終端回路と物理媒体レベルの終端回路（Ｅ／Ｏ、Ｏ／Ｅ変換回路）とが１対１の関係で接続された装置構成となっている。
一つの加入者接続装置に複数のＵＮＩを収容した装置構成としては、例えば、非特許文献３の図２が示すように、ＰＯＮ終端回路とＵＮＩポート（該文献では、「双方向映像サービス」、「放送型映像サービス」、「ＩＳＤＮサービス」と表示されている）との間に信号の多重分離回路を介在した構成が知られている。
【０００８】
【非特許文献１】
ＩＴＵ−Ｔの勧告Ｇ．９８３．１　”Ｂｒｏａｄｂａｎｄ　Ｏｐｔｉｃａｌ　Ａｃｃｅｓｓ　Ｓｙｓｔｅｍｓ　ｂａｓｅｄ　ｏｎ　Ｐａｓｓｉｖｅ　Ｏｐｔｉｃａｌ　Ｎｅｔｗｏｒｋｓ　（ＰＯＮ）．”
【非特許文献２】
２００１年電子情報通信学会通信ソサイエティ大会の予稿Ｂ−８−２「ＦＳＡＮ　ＢＲＯＡＤＢＡＮＤ−ＰＯＮ　ＯＮＵ　ＬＳＩの開発」
【非特許文献３】
１９９６年電子情報通信学会通信ソサイエティ大会の予稿Ｂ−８４１「ＡＴＭ−ＰＤＳ光加入者線伝送路終端ＬＳＩの開発」
【０００９】
【発明が解決しようとする課題】
ＰＯＮ用の加入者接続装置の構成要素は、ケース等の構造品と、電源回路と、光網インタフェース（Ｅ／Ｏ、Ｏ／Ｅ変換回路）と、ＵＮＩと、ＰＯＮ終端回路用の論理回路に大別される。これらの装置要素のうち、論理回路部分は、ＬＳＩ微細化に伴う高密度実装によって急激にコストダウンしており、現状では、光網との接続インタフェースとなるＥ／Ｏ変換回路、Ｏ／Ｅ変換回路のコストが、装置全体コストの大きな支配要因となっている。しかしながら、上述したように、従来の装置構成では、ＰＯＮ終端回路毎に光網インタフェースを設ける必要がある。また、加入者接続装置の経済化と、局装置からの加入者接続装置のオペレーションの容易化との間には、以下のような得失があり、両方を満たす解がないのが現状である。
（１）加入者接続装置の経済化
複数のＵＮＩを多重分離回路を介して１つのＰＯＮ終端回路と光網インタフェース（Ｅ／Ｏ変換回路とＯ／Ｅ変換回路）に収容する装置構成を採用とした場合、１個分の光網インタフェースのコストを複数のＵＮＩポートでシェアできるため、１ユーザ当たりの装置コストを低減できる。しかしながら、多重分離回路におけるトラヒック特性を制御するためには、局装置側から各種パラメータを設定しなければならず、その分、オペレーションシステムを複雑化、高機能化する必要がある。
（２）オペレーションの容易化
ＵＮＩポートとＰＯＮ終端回路を１対１で直結した場合、装置単位の制御でＵＮＩポートのトラヒック特性を制御できるため、オペレーションが容易になる。しかしながら、この構成はＵＮＩポート毎に個別の光網インタフェースが必要となるため、加入者接続装置のコストが高くなる。
【００１０】
本発明の目的は、オペレーションシステムからの制御が容易で、コスト削減が可能な加入者接続装置およびその制御方法を提供することにある。
【００１１】
【課題を解決するための手段】
上記目的を達成するため、本発明の加入者接続装置は、複数のＵＮＩと複数のＰＯＮ終端回路で１つの光網インタフェースを共有することを特徴とする。
すなわち、本発明による受動光網用の加入者接続装置は、受動光網から受信した光信号を電気信号に変換して出力し、上記局装置に送信すべき電気信号を光信号に変換して受動光網に送出する光網インタフェースと、それぞれユーザ網に接続されたｎ個（ｎ：２以上の整数）のＵＮＩと、ＰＯＮプロトコル処理を実行するｋ個（ｋ＝２〜ｎ）のＰＯＮ終端回路と、上記各ＰＯＮ終端回路および各ＵＮＩから出力される送信パケットを時分割多重化して上記光網インタフェースに出力し、上記光網インタフェースから入力された受信パケットを上記複数個のＰＯＮ終端回路と上記複数個のＵＮＩに振り分けるための手段とを有することを特徴とする。
【００１２】
更に詳述すると、本発明の加入者接続装置は、受動光網に接続された光／電気変換回路および電気／光変換回路と、それぞれユーザ網に接続されたｎ個（ｎ：２以上の整数）の入力ＵＮＩおよび出力ＵＮＩと、ＰＯＮプロトコル処理を実行するｋ個（ｋ＝２〜ｎ）のＰＯＮ終端回路と、上記各ＰＯＮ終端回路および入力ＵＮＩからの出力セルを上記電気／光変換回路に選択的に出力するための多重化手段と、上記光／電気変換回路から出力された受信ＰＯＮフレームから制御セルとユーザセルを抽出し、制御セルは上記複数個のＰＯＮ終端回路に供給し、ユーザセルは上記複数の出力ＵＮＩに選択的に振り分けるためのセル分離手段と、上記各ＰＯＮ終端回路から与えられる制御情報に従って上記多重化手段を制御するＴＤＭＡ管理手段とを有することを特徴とする。各ＰＯＮ終端回路で処理するプロトコルは、例えば、ＩＴＵ−Ｔ勧告Ｇ．９８３．１に準拠する。
【００１３】
また、本発明による加入者接続装置の制御方法は、局装置が、上記何れかのＰＯＮ終端回路を指定する論理識別情報を含む制御セルを受動光網に送信し、上記多重分離手段またはセル分離手段が上記制御セルを上記複数個のＰＯＮ終端回路に入力し、上記制御セルを受信した複数個のＰＯＮ終端回路のうち、上記論理識別情報で指定されたＰＯＮ終端回路が上記制御セルに応答して動作することを特徴とする。
【００１４】
局装置が、上記制御パケットによって何れかのＰＯＮ終端回路に特定のＵＮＩとの接続を指令した場合、上記制御セルを受信した複数個のＰＯＮ終端回路のうち、上記論理識別情報で指定されたＰＯＮ終端回路が、上記特定ＵＮＩからの出力セルを送信制御するための制御情報設定処理を実行する。ＰＯＮ終端回路を指定する論理識別情報としては、ＩＴＵ−Ｔ勧告Ｇ．９８３．１において規定されたＰＯＮ＿ＩＤを適用できる。
【００１５】
本発明によれば、１つの光網インタフェースを複数のＵＮＩで共有しているため、ＵＮＩポート（１ユーザ）当たりの光網インタフェースコストが下がり、加入者接続コストを低減できる。また、本発明の加入者接続装置は、１つの光網インタフェースに接続して複数のＰＯＮ終端回路を有し、局装置からＰＯＮ終端回路毎に収容すべきＵＮＩポートを指定できるようになっている。従って、各ＵＮＩのトラヒックを各々独立した加入者接続装置のＵＮＩの如く制御できる。
【００１６】
【発明の実施の形態】
以下、本発明の実施例について、図面を参照して説明する。
図１は、本発明による加入者接続装置を適用した受動光網の１実施例を示す。図において、１０は局装置、２０と３０は加入者接続装置を示す。
【００１７】
局装置１０は、少なくとも１つの局内インタフェース部１１または局間インタフェース部１２と、ＰＯＮインタフェース部１３と、監視制御部１４と、これらの要素を接続するスイッチ部１５とからなり、ＰＯＮインタフェース部１３は、ＰＯＮ終端回路１３１、プロトコル制御部１３２、ＴＤＭＡ制御部１３３からなっている。
【００１８】
加入者接続装置２０、３０は、光ファイバ１０１、１０２、１０３および光スプリッタ１１０を介して、局側装置１０のＰＯＮインタフェース部１３（ＰＯＮ終端回路１３１）に接続されている。ここで、加入者接続装置２０は、従来技術による加入者接続装置であり、光網インタフェース（Ｏ／Ｅ、Ｅ／Ｏ変換回路）２１に接続して、１個のＰＯＮ終端回路２２と１個のＵＮＩ２３を備えている。
【００１９】
加入者接続装置３０は、本発明による加入者接続装置であり、複数個のＰＯＮ終端回路３２（３２−１〜３２−ｋ）と複数個のＵＮＩ３３（３３−１〜３３−ｎ）が、ＴＤＭＡ管理部３６によって制御される多重分離部３４を介して光網インタフェース（Ｏ／Ｅ、Ｅ／Ｏ変換回路）３１に接続され、１つの光網インタフェース３１をｋ個のＰＯＮ終端回路３２とｎ個のＵＮＩ３３で共有した装置構成となっている。
【００２０】
図２は、本発明による加入者接続装置３０の更に詳細な構成を示す。
３１ＲはＯ／Ｅ変換回路、３１ＴはＥ／Ｏ変換回路、３３Ｒ（３３Ｒ−１〜３３Ｒ−ｎ）は出力側ＵＮＩ、３３Ｔ（３３Ｔ−１〜３３Ｔ−ｎ）は入力側ＵＮＩであり、３４１は回線分離部、３４２は回線多重部、３４３はセル多重部、３５は制御情報分離部（制御セル分離部）、３６はＴＤＭＡ管理部、３７はアイドルセル組立部を示す。
【００２１】
ＰＯＮ終端回路３２−１〜３２−ｋは、光ファイバ１０３上の多重化回線と対応しており、それぞれ制御情報処理部３２１、状態遷移管理部３２２、制御セル組立部３２３とを備えている。
【００２２】
局装置１０から送信された光信号フレーム（下り方向ＰＯＮフレーム）は、Ｏ／Ｅ変換回路３１Ｒによって電気的なＰＯＮフレーム信号に変換され、制御情報分離部３５に入力される。制御情報分離部３５は、下り方向ＰＯＮフレーム信号に対して、ＡＴＭセル同期、ＰＬＯＡＭ（Ｐｈｙｓｉｃａｌ　Ｌａｙｅｒ　Ｏｐｅｒａｔｉｏｎ　Ａｎｄ　Ｍａｉｎｔｅｎａｎｃｅ）同期、フレーム同期等の同期処理を行い、各受信フレームから抽出した制御情報（制御セル）をＰＯＮ終端回路３２−１〜３２−ｋの制御情報処理部３２１に出力し、受信フレーム中のユーザセルを回線分離部３４１に出力する。
【００２３】
回線分離部３４１は、制御情報分離部３５から受信したユーザセルのＡＴＭセルヘッダ情報を識別し、受信セルをヘッダ情報によって特定される何れかの出力側ＵＮＩ３３Ｒ―ｊに振り分ける。これによって、局装置１０から受信したユーザセルは、上記出力側ＵＮＩ３３Ｒ−ｊに接続されたユーザネットワーク回線ＬＯ−ｊに出力される。
【００２４】
ＰＯＮ終端回路３２−１〜３２−ｋの制御情報処理部３２１は、制御情報分離部３５から受信した制御セル（ＰＬＯＡＭセル）が示すプロトコル識別子またはＰＯＮ識別子を判定し、自終端回路宛の制御セルから送出権情報と制御メッセージを抽出する。送出権情報は、ＴＤＭＡ管理部３６に出力される。また、制御メッセージのうち、状態遷移に関する制御情報は、状態遷移管理部３２２に出力される。
【００２５】
局装置に応答すべき制御メッセージを受信した場合、制御情報処理部３２１は応答メッセージを生成し、これを制御セル組立部３２３に出力すると共に、ＴＤＭＡ管理部３６に制御セルの送信を要求する。制御情報処理部３２１で生成した応答メッセージは、制御セル組立部３２３で制御セルに組立てられ、セル多重部３４３に出力される。状態遷移管理部３２２は、制御情報処理部３２１から受信した制御情報に従って各回線毎の状態遷移を管理し、状態遷移情報をＴＤＭＡ管理部３６に出力する。
【００２６】
ＴＤＭＡ管理部３６は、状態遷移管理部３２２から受信した状態遷移情報によって各回線の状態を認識する。ＴＤＭＡ管理部３６は、回線が使用可能状態となった時、制御情報処理部３２１からの送出権情報に従って、信号線３６１を介して回線多重部３４２に回線単位でユーザセルの出力許可を与え、信号線３６２を介してセル多重部３４３に回線多重部３４２からの出力セル（ユーザセル）の送出を指示する。
【００２７】
回線多重部３４２に送出すべきユーザセルが存在しなかった場合、ＴＤＭＡ管理部３６は、信号線３６２を介してセル多重部３４３に、アイドルセル組立部３７からの出力セル（アイドルセル）の送出を指示する。ＴＤＭＡ管理部３６は、制御情報処理部３２１から制御セルの送出要求を受信した場合、信号線３６２を介してセル多重部３４３に、上記送信要求元ＰＯＮ終端回路と対応する出力回線３２０−ｊからの出力セル（制御セル）の送出を指示する。
【００２８】
入力側ＵＮＩ３３Ｔ−１〜３３Ｔ−ｎは、ユーザネットワーク回線ＬＩ−１〜ＬＩ−ｎから受信したユーザセルを回線多重部３４２に出力する。回線多重部３４２は、信号線３６１を介してＴＤＭＡ管理部３６から受信したユーザセルの出力許可に従って、ユーザセルを出力させるべき特定の入力側ＵＮＩ３３Ｔ−ｉを選択する。上記入力側ＵＮＩ３３Ｔ−ｉに送出すべきユーザセルが存在しなかった場合は、ＴＤＭＡ管理部３６にその旨を通知する。
【００２９】
入力側ＵＮＩ３３Ｔ−ｉから出力されたユーザセルは、回線多重部３４２からセル多重部３４３に入力される。セル多重部３４３は、信号線３６２から受信した送信指示に従って、回線多重部３４２、アイドルセル組立部３７、ＰＯＮ終端回路（制御セル組立部）３２からの出力セルの何れかを選択し、ＰＯＮオーバーヘッドを付加した形でＥ／Ｏ変換回路３１Ｔに出力する。これによって、セル多重部３４３からの出力セルが、上り方向のＰＯＮフレーム形式で光信号に変換され、光ファイバ１０３を介して局装置１０に送信される。
【００３０】
上述した本発明の加入者接続装置３０によれば、Ｏ／Ｅ変換回路３１Ｒの出力フレームから抽出されたユーザセルを出力側の複数のＵＮＩに振り分けると共に、制御セルを複数のＰＯＮ終端回路に分配し、これら複数のＰＯＮ終端回路からの制御セルと入力側ＵＮＩからのユーザセルを多重化して、Ｅ／Ｏ変換回路３１Ｔに出力するようにしているため、複数のＵＮＩポートで光網インタフェース（Ｏ／Ｅ変換回路とＥ／Ｏ変換回路）のコストをシェアでき、１ユーザ当たりの接続装置のコストを低減することが可能となる。
【００３１】
図３は、本発明による加入者接続装置３０の起動シーケンスの１例を示す。
ステップ４０１〜４１４は、＃１のＰＯＮ終端回路（例えば、図１、図２のＰＯＮ終端回路３２−１であり、以下、ＰＯＮ＃１と言う）を起動し、これに＃１のＵＮＩ（例えば、図１、図２のＵＮＩ３３−１であり、以下、ＵＮＩ＃１と言う）を接続するための操作手順を示す。また、ステップ４２１〜４３４は、＃ｋのＰＯＮ終端部（例えば、図１、図２のＰＯＮ終端回路３２−ｋであり、以下、ＰＯＮ＃ｋと言う）を起動し、これに＃ｎのＵＮＩ（例えば、図１、図２のＵＮＩ３３−ｎであり、以下、ＵＮＩ＃ｎと言う）を接続するための操作手順を示す。
【００３２】
局装置１０は、加入者接続装置３０におけるＰＯＮ＃１を起動するため、以下の手順を実行する。
先ず、加入者接続装置３０に対して、ＰＯＮ＃１の識別子を含むＰＬＯＡＭセルによって、ＰＯＮ＃１距離測定指示を送信する（４０１）。上記距離測定指示は、加入者接続装置３０のＰＯＮ＃１で受信処理され（４０２）、局装置３０に対して応答メッセージ（ＰＯＮ＃１距離測定応答）が送信される（４０３）。局装置３０は、上記ＰＯＮ＃１距離測定応答を受信すると（４０４）、上記ＰＯＮ＃１距離測定指示の送信（４０１）からＰＯＮ＃１距離測定応答の受信（４０４）までの時間差から、ＰＯＮ＃１距離情報を取得する（４０５）。局装置３０は、得られた距離情報（ＰＯＮ＃１距離情報）を搭載したＰＬＯＡＭセルを加入者接続装置３０のＰＯＮ＃１宛に送信する（４０６）。
【００３３】
加入者接続装置３０では、上記ＰＯＮ＃１距離情報をＰＯＮ＃１で受信処理し（４０７）、ＰＯＮ＃１の制御情報処理部３２１が、上記ＰＯＮ＃１距離情報に基づいて、上りＰＯＮフレームにおけるセル送信タイミングの位相を補正する。これによって、ＰＯＮ＃１の起動が完了する（４０８）。
【００３４】
次に、局装置３０は、ＵＮＩ＃１をＰＯＮ＃１に収容するために、ＰＯＮ＃１を指定したＰＬＯＡＭセルによって、加入者接続装置３０にＰＯＮ＃１ＵＮＩ＃１設定指示を送信する（４０９）。加入者接続装置３０は、上記ＰＯＮ＃１ＵＮＩ＃１設定指示をＰＯＮ＃１で受信処理し（４１０）、制御情報処理部３２１において、ＵＮＩ＃１をＰＯＮ＃１に接続するための管理情報の設定処理（ＰＯＮ＃１ＵＮＩ＃１設定）を行う（４１１）。ＰＯＮ＃１は、上記管理情報の設定処理の後、局装置１０に応答メッセージ（ＰＯＮ＃１ＵＮＩ＃１設定応答）を送信し（４１２）、ＰＯＮ＃１ＵＮＩ＃１設定完了状態（４１４）となる。
【００３５】
局装置１０は、上記ＰＯＮ＃１ＵＮＩ＃１設定応答を受信すると（４１３）、加入者接続装置３０の次のＰＯＮ終端部についての起動シーケンスを実行する。ここでは、説明を簡単にするために、次のＰＯＮ終端部がＰＯＮ＃ｋの場合を示す。
【００３６】
ＰＯＮ＃ｋの起動は、加入者接続装置３０のＰＯＮ＃ｋを指定して、上述したステップ４０１〜４０８と同様の手順（ステップ４２１〜４２８）を繰り返すことによって達成される。また、ＰＯＮ＃ｋとＵＮＩ＃ｎとの接続は、上記ＰＯＮ＃ｋを指定して、上述したステップ４０９〜４１３と同様の手順（ステップ４２９〜４３３）を繰り返すことによって達成される。
実際の応用では、局装置１０は、加入者接続装置３０が備える複数個のＰＯＮ終端回路３２−１〜３２−ｋについて、上述した接続シーケンスを順次に繰り返す。
【００３７】
上記実施例において、ＰＯＮ＃１の起動およびＵＮＩ＃１との接続シーケンスは、従来の加入者接続装置２０におけるＰＯＮ終端回路２２の起動およびＵＮＩインタフェース２３との接続シーケンスと同一であり、ＰＯＮ＃ｋの起動およびＵＮＩ＃ｎとの接続シーケンスも同様である。従って、本発明の加入者接続装置３０は、従来の加入者接続装置単位の制御シーケンスを適用して、ＵＮＩポートのトラヒック特性を制御することができる。
【００３８】
【発明の効果】
以上の実施例から明らかなように、本発明によれば、複数のＵＮＩで光網インタフェースを共有することによって、ＵＮＩ回線当たり装置コストを低減することが可能となる。また、１つの光網インタフェースに複数のＰＯＮ終端回路を接続し、各ＰＯＮ終端回路にＵＮＩを選択的に対応づけることによって、各ＵＮＩ回線のトラフィックを個別の加入者接続装置に収容されたトラフィックのように扱うことが可能となり、オペレーションシステムを簡易化できる。
【図面の簡単な説明】
【図１】本発明の加入者接続装置３０を適用した受動光網ＰＯＮのネットワーク構成を示す図。
【図２】本発明による加入者接続装置３０の１実施例を示すブロック構成図。
【図３】本発明による加入者接続装置の起動シーケンスの１例を示す図。
【符号の説明】
１０：局装置、１１：局内インタフェース部、１２：局間インタフェース部、
１３：ＰＯＮインタフェース部、１４：監視制御部、１５：スイッチ部、
１３１：ＰＯＮ終端回路、１３２：プロトコル制御部、
１３３：ＴＤＭＡ制御部、１０１〜１０３：光ファイバ、
１１０：光スプリッタ、２０：加入者接続装置、
２１：光網インタフェース（Ｏ／Ｅ、Ｅ／Ｏ変換回路）、
２２：ＰＯＮ終端回路、２３：ＵＮＩ、３０：加入者接続装置、
３１：光網インタフェース（Ｏ／Ｅ、Ｅ／Ｏ変換回路）、
３２：ＰＯＮ終端回路、３３：ＵＮＩ、３４：多重分離部、
３５：制御情報分離部、３６：ＴＤＭＡ制御部、３７：アイドルセル組立部、
３２１：制御情報処理部、３２２：状態遷移管理部、３２３：制御セル組立部、
３４１：回線分離部、３４２：回線多重部、３４３：セル多重部。
【図１】
2004104376.tif 000003
【図２】
2004104376.tif 000004
【図３】
2004104376.tif 000005